【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
少なくとも部分的にバルク粒状物質を閉じ込め、
より小さい平均粒径を得て、ＢＥＴ表面積を増加させるために、閉じ込めたバルク粒状物質を少なくとも２つの長尺の回転部材により機械的に強力に攪拌するものであり、回転部材はバルク粒状物質に埋没しており、各回転部材は回転軸を有すると共に軸方向に間隔を空けて配置される複数の攪拌構成体を備えており、この攪拌構成体は回転軸から外側に突出しており、回転部材は横断方向に間隔をあけ、かつ一方が他方の上方に配置され、それによってバルク粒状物質を高密度化するバルク粒状物質の高密度化方法。
【請求項２】
高密度化されるバルク粒状物質を回転部材の回転軸に対して横断する方向に回転部材を越えて供給することを特徴とする請求項１記載の方法。
【請求項３】
少なくとも２つの回転部材の一方が他方の上方に配置され、かつ、２つの回転部材は同方向に回転されることを特徴とする請求項１又は請求項２記載の方法。
【請求項４】
少なくとも２つの長尺の回転部材が側方に並置されることを特徴とする前記請求項のいずれかに記載の方法。
【請求項５】
少なくとも２つの長尺の回転部材が側方に並置され、かつ、２つの回転部材が逆方向に回転されることを特徴とする請求項４記載の方法。
【請求項６】
閉じ込めたバルク粒状物質中に垂直方向のバルク密度勾配が形成され、底部が最も高いバルク密度を有することを特徴とする前記請求項のいずれかに記載の方法。
【請求項７】
前記複数の回転部材は、様々な位置で異なる速度で回転する前記請求項のいずれかに記載の方法。
【請求項８】
各回転部材の回転軸は略平行に配置され、かつ、各回転部材の回転軸が略水平に位置する、前記請求項のいずれかに記載の方法。
【請求項９】
バルク粒状供給物質が連続式に高密度化され、バルク粒状供給物質が回転部材の上方から供給され、高密度化されたバルク粒状物質が回転部材の下方より除去される、前記請求項のいずれかに記載の方法。
【請求項１０】
バルク粒状物質の機械的な攪拌は高密度化剤を用いて行うことを特徴とする前記請求項のいずれかに記載の方法。
【請求項１１】
高密度化剤が水性液体であることを特徴とする請求項１０記載の方法。
【請求項１２】
高密度化されたバルク粒状物質中の高密度化剤の平均濃度が、高密度化しようとするバルク粒状物質中の高密度化剤の平均濃度よりも低いことを特徴とする請求項１０または請求項１１記載の方法。
【請求項１３】
機械的攪拌中にバルク粒状物質が加熱され、少なくとも高密度化剤の一部が、蒸発により、高密度化としようとするバルク粒状物質あるいは高密度化されたバルク粒状物質から除去されることを特徴とする請求項１０から請求項１２のいずれかに記載の方法。
【請求項１４】
少なくとも部分的にバルク粒状物質体を閉じ込めるための容器であって、バルク粒状物質を受け入れて閉じ込める領域を形成する容器と、横断方向に間隔を開け、一方が他方の上方に配置されかつバルク粒状物質を機械的に強力に攪拌するためのバルク粒状物質を受け入れ閉じ込める領域内に、少なくとも１つの回転部材がバルク粒状物質により使用時に埋没されるように配置される少なくとも２つの長尺の回転部材であって、それぞれ回転軸を有し、回転軸から外側に向かって突出し、軸方向に間隔を置く複数の攪拌構成体をそれぞれ含む回転部材と、バルク粒状物質を受け入れる領域内でバルク粒状物質を攪拌するために、回転部材の回転軸周りに回転部材を回転可能なように、回転部材に結合された駆動手段とを具備するバルク粒状物質高密度化及び細粒化装置。
【請求項１５】
少なくとも２つの回転部材が、一方が他方の上方になるように配置され、前記２つの回転部材が同方向に回転するよう構成されることを特徴とする請求項１４に記載の装置。
【請求項１６】
少なくとも２つの長尺の回転部材が側方に並設されることを特徴とする請求項１４又は請求項１５のいずれかに記載の装置。
【請求項１７】
少なくとも２つの長尺の回転部材が側方に並設され、前記２つの回転部材が反対方向に回転するよう構成されることを特徴とする請求項１６に記載の装置。
【請求項１８】
回転部材の回転軸が略平行であり、前記回転軸が略水平であることを特徴とする請求項１４から請求項１７のいずれかに記載の装置。
【請求項１９】
低い位置に配設された高密度化されたバルク粒状物質のための排出口と、前記排出口より高い位置に配設されたバルク粒状物質のための投入口とを含み、前記投入口、排出口および回転部材は、使用に際し、高密度化されるバルク粒状物質を、バルク粒状物質を受け入れて閉じ込める領域を通して回転部材の回転軸を横断する方向に送るように配置されることを特徴とする請求項１４から請求項１９のいずれかに記載の装置。
【請求項２０】
前記容器内へ通じる高密度化剤投入口を具備することを特徴とする請求項１４から請求項１９のいずれかに記載の装置。
【請求項２１】
蒸発した高密度化剤を前記容器から除去するための高密度化剤排出口を具備することを特徴とする請求項１４から請求項２０のいずれかに記載の装置。
【手続補正２】
【補正対象書類名】明細書
【補正対象項目名】０００２
【補正方法】変更
【補正の内容】
【０００２】
本発明の一側面によれば、バルク粒状物質の高密度化方法が提供される。高密度化方法は、少なくとも部分的にバルク粒状物質を閉じ込め、より小さい平均粒径を得て、ＢＥＴ表面積を増加させるために、閉じ込めたバルク粒状物質を少なくとも２つの長尺の回転部材により機械的に強力に攪拌するものであり、回転部材はバルク粒状物質に埋没しており、各回転部材は回転軸を有すると共に軸方向に間隔を空けて配置される複数の攪拌構成体を備えており、この攪拌構成体は回転軸から外側に突出しており、回転部材は横断方向に間隔を空け、かつ一方が他方の上方に配置され、それによってバルク粒状物質を高密度化するものである。
【手続補正３】
【補正対象書類名】明細書
【補正対象項目名】０００３
【補正方法】変更
【補正の内容】
【０００３】
埋没した複数の回転部材および攪拌構成体の動作は、このようにバルク粒状物質を圧縮するものではなく、閉じ込めたバルク粒状物質を機械的に強力に攪拌し、バルク粒状物質を極端に流動化することなく、またバルク粒状物質の中にいかなる定常的な空所を生じることなく、攪拌中にバルク粒状物質を完全に混合する。
【手続補正４】
【補正対象書類名】明細書
【補正対象項目名】０００６
【補正方法】変更
【補正の内容】
【０００６】
少なくとも２つの回転部材の一方が他方の上方に配置され、これらの回転部材は、同じ方向に回転させてもよい。
【手続補正５】
【補正対象書類名】明細書
【補正対象項目名】０００８
【補正方法】変更
【補正の内容】
【０００８】
バルク粒状物質は、閉じ込めたバルク粒状物質の上方に自由ヘッド空間を残した状態で、少なくとも部分的に閉じ込めることができ、したがって、攪拌されたバルク粒状物質は攪拌中に少なくとも自由ヘッド空間の一部を占めることができる。
回転部材の回転軸は、一般的には略平行に配置される。回転軸は、好ましくは横向きに伸延し、例えば略水平方向に伸延する。
【手続補正６】
【補正対象書類名】明細書
【補正対象項目名】００３３
【補正方法】変更
【補正の内容】
【００３３】
本発明の他の側面によれば、バルク粒状物質高密度化及び細粒化装置は以下の手段を具備する。
【手続補正７】
【補正対象書類名】明細書
【補正対象項目名】００３４
【補正方法】変更
【補正の内容】
【００３４】
少なくとも部分的にはバルク粒状物質体を閉じ込めるための容器であって、バルク粒状物質を受け入れて閉じ込める領域を形成する容器と、
バルク粒状物質を機械的に強力に攪拌するためのバルク粒状物質を受け入れ閉じ込める領域内に、複数の回転部材が使用時にバルク粒状物質により埋没されるように配置され、横断方向に間隔を開け、かつ一方が他方の上方に配置される、少なくとも２つの長尺の回転部材であって、各回転部材はそれぞれ回転軸を有し、回転軸から外方に向かって突出し、軸方向に間隔を開けて配置される複数の攪拌構成体を含む各回転部材と、
バルク粒状物質を受け入れる領域内でバルク粒状物質を攪拌するために、回転部材の回転軸周りに、様々な位置で異なる速度で回転する回転部材が回転可能なように、回転部材に結合された駆動手段。
【手続補正８】
【補正対象書類名】明細書
【補正対象項目名】００３６
【補正方法】変更
【補正の内容】
【００３６】
一方が他方の上方になるように配置される、少なくとも２つの回転部材は、同じ方向に回転するように構成することができる。
【手続補正９】
【補正対象書類名】明細書
【補正対象項目名】００７３
【補正方法】変更
【補正の内容】
【００７３】
添付図中、図３及び図４に、バルク粒状物質を高密度化することができる本発明に係る高密度化装置の他の実施例が、参照番号２００、および３００を付して一般的に示されている。図３及び図４に示す簡略概略図から理解できるように、回転部材は様々な他の配列が可能である。図３において、２つ以上の、例えば３つの回転部材が、垂直方向に配列された状態で使用されており、１つ以上の排出口２４を具備する。図４は、複数の、例えば４つの回転部材１４を配列する場合の配列状態を示しており、排出口２４は底部に設けられている。
【手続補正１０】
【補正対象書類名】明細書
【補正対象項目名】００７６
【補正方法】変更
【補正の内容】
【００７６】
【図１】バルク粒状物質の高密度化を図る本発明に係る高密度化装置の１実施例の正面断図である。
【図２】図１の高密度化装置の回転部材の側面図である。
【図３】バルク粒状物質を高密度化するための本発明に係る高密度化装置の回転部材の他の配置を模式的に示す。
【図４】バルク粒状物質を高密度化するための本発明に係る高密度化装置の回転部材の他の配置を模式的に示す。
【手続補正１１】
【補正対象書類名】図面
【補正対象項目名】図３
【補正方法】変更
【補正の内容】
【図３】
2006524127.tif 000001
【手続補正１２】
【補正対象書類名】図面
【補正対象項目名】図４
【補正方法】変更
【補正の内容】
【図４】
2006524127.tif 000002
【手続補正１３】
【補正対象書類名】図面
【補正対象項目名】図５
【補正方法】削除
【補正の内容】